(57)【要約】ごみ容器は空洞を画定する外郭と、空洞の開口部を画定するリムとを含む。ごみ容器は、空洞を区画室部と箱部とに分離する分離板を含み、ここで分離板は貫通穴を画定する。ごみ容器は、直列になった複数の袋を含む。袋は、開口部を画定する上部と、閉じている底部を有し、ここで袋は、各袋の底部が、直列になった次の袋の上部と分離可能に取り付けられている。袋は、袋の開口部のためのクロージャーを含む。袋が区画室部に収納されると、袋は個々に、分離板の穴を通して引き出され、その結果第一の袋は分離板を通して第二の袋を引っ張りだす。【特許請求の範囲】
【請求項１】
ごみ容器であって、
空洞を画定する外郭と、
前記空洞への開口部を画定するリムと、
を含むハウジング、
前記空洞を区画室部と箱部とに分離する分離板、および
開口部を画定する上部と、閉じた底部とを有する複数の袋
を有し、
前記分離板が貫通する穴を画定し、
前記袋の前記開口部がクロージャーを有する、
ことを特徴とするごみ容器。
【請求項２】
前記クロージャーが、前記袋の前記開口部を画定する上部端のまわりにそってある接着材である、請求項１に記載のごみ容器。
【請求項３】
前記袋は約３０インチより低い高さをもつ、請求項１に記載のごみ容器。
【請求項４】
前記袋は約３０インチより狭い幅をもつ、請求項１に記載のごみ容器。
【請求項５】
前記ごみ容器は約３０インチより低い高さをもつ、請求項１に記載のごみ容器。
【請求項６】
前記ごみ容器は約３０インチより狭い幅をもつ、請求項１に記載のごみ容器。
【請求項７】
前記袋は連結されている、請求項１に記載のごみ容器。
【請求項８】
前記袋は連結されていない、請求項１に記載のごみ容器。
【請求項９】
前記袋のそれぞれの底部が続く次の袋の上部に分離可能に付着されるように、前記袋は直列に連結され、前記袋が前記区画室部に収納されると、前記袋は一度にひとつ、前記分離板の前記穴を通過して引き出だすことができ、前記袋の一番目のものが前記分離板から引き出されると、前記袋の一番目のものが前記袋の二番目のものを引き出すように、前記袋の底部がそれに続く前記袋の上部に続き、前記袋の上部が前記分離板を通過すると、該上部は物を受け入れるために開かれる、請求項１に記載のごみ容器。
【請求項１０】
前記袋が開いた後、前記リムによって確実に、前記袋が開き続け、前記ハウジングの前記開口部から外れないようにするために、前記は前記ハウジングの前記リムに取り付けられる、請求項１に記載のごみ容器。
【請求項１１】
前記ハウジングが上部と底部とを含み、前記リムが前記上部に位置し、前記底部が閉じている、請求項１に記載のごみ容器。
【請求項１２】
前記外郭が、前記ハウジングの前記上部と前記ハウジングの前記底部とをつなぐ管状体を画定する、請求項１２に記載のごみ容器。
【請求項１３】
前記管状体が楕円形状をもつ、請求項１２に記載のごみ容器。
【請求項１４】
前記区画室部が、前記ハウジングの前記底部、前記分離板、及び前記分離板と前記ハウジングの前記底部との間の前記外郭の部分により画定される、請求項１２に記載のごみ容器。
【請求項１５】
前記箱部が、前記分離板、及び前記分離板から上の前記外郭の部分により画定される、請求項１２に記載のごみ容器。
【請求項１６】
前記ハウジングの前記底部は、前記ごみ容器が前記ハウジングの前記底部で直立して立ち続けられるように実質的に平坦である、請求項１１に記載のごみ容器。
【請求項１７】
前記分離板は、前記分離板が繰り返して取り外され、挿入されるように前記ハウジンとは別個のものである、請求項１に記載のごみ容器。
【請求項１８】
前記分離板が、上部、底部および外側縁部を有する、請求項１に記載のごみ容器。
【請求項１９】
前記分離板の前記外側縁部が前記ハウジングの内部面と実質的に整合する、請求項１８に記載のごみ容器。
【請求項２０】
前記袋がプラスチック製である、請求項１に記載のごみ容器。
【請求項２１】
前記袋が、臭気に対して実質的に不浸透性のものである、請求項１に記載のごみ容器。
【請求項２２】
前記袋が液体吸収剤を含む、請求項１に記載のごみ容器。
【請求項２３】
前記袋が臭気中和剤を含む、請求項１に記載のごみ容器。
【請求項２４】
前記袋が抗菌剤を含む、請求項１に記載のごみ容器。
【請求項２５】
前記袋が香り放出剤を含む、請求項１に記載のごみ容器。
【請求項２６】
前記袋が、４００Ｆの温度まで耐熱性をもつ、請求項１に記載のごみ容器。
【請求項２７】
前記袋のそれぞれの底部が、続く次の袋の上部に分離可能に付着されるように、前記袋は直列に連結され、前記袋がミシン線にそって連結されている、請求項１に記載のごみ容器。
【請求項２８】
ごみ容器であって、
空洞を画定する外郭と、
前記空洞への開口部を画定するリムと、
取り外し可能な底部と、
を含むハウジング、
前記空洞を区画室部と箱部とに分離する分離板、および
開口部を画定する上部と、閉じた底部とを有する複数の袋
を有し、
前記分離板が貫通する穴を画定し、
前記袋の前記開口部がクロージャーを有する、
ことを特徴とするごみ容器。
【請求項２９】
前記底部の内側面が、複数の袋を収納する区分室部を含む、請求項２８に記載のごみ容器。
【請求項３０】
前記区分室部が、前記袋が分配される開口部を含む蓋を有する、請求項２９に記載のごみ容器。
【請求項３１】
前記蓋が、前記区分室部にヒンジにより蝶着されている、請求項３０に記載のごみ容器。
【請求項３２】
前記底部が、前記ハウジングの残部にヒンジにより取り付けられ、前記底部がヒンジのまわりで、開いた位置と閉じた位置との間で回動する、請求項２８に記載のごみ容器。
【請求項３３】
前記底部が予め配分された複数の袋を収納する区画室部を有し、該区画室部は、その区画室部にヒンジにより取り付けられた蓋を有し、該蓋は開いた位置と閉じた位置との間で回動する、請求項３２に記載のごみ容器。
【請求項３４】
前記袋のそれぞれの底部が、続く次の袋の上部に分離可能に付着されるように、前記袋は直列に連結され、前記袋が前記区画室部に収納されると、前記袋は一度にひとつ、前記分離板の前記穴を通過して引き出だすことができ、前記袋の一番目のものが前記分離板から引き出されると、前記袋の一番目のものが前記袋の二番目のものを引き出すように、前記袋の底部がそれに続く前記袋の上部に続き、前記袋の上部が前記分離板を通過すると、該上部は物を受け入れるために開かれる、請求項２８に記載のごみ容器。
【請求項３５】
前記ごみ容器が、上部、底部、正面部及び背面部をさらに有し、
前記リムが、前記ごみ容器の前記上部にあり、０から４５度の範囲の角度をつけて、前記ごみ容器の前記正面部から前記ごみ容器の前記背面部に伸びている、請求項１に記載のごみ容器。
【請求項３６】
前記ごみ容器がさらに背面部を有し、該背面部の一部が実質的に平坦であり、請求項１に記載のごみ容器。
【請求項３７】
前記ごみ容器がさらに前記分離板を受け入れる分離板スロットを有し、前記ハウジングは前記分離板スロットのところで最も細くなるように次第に細くなる、請求項１に記載のごみ容器。
【請求項３８】
前記袋が互いに、交互配置されている、請求項１に記載のごみ容器。
【請求項３９】
前記袋の間に、交互配置がない、請求項１に記載のごみ容器。
【請求項４０】
前記袋が詰め替えパック内に配置されている、請求項１に記載のごみ容器。
【請求項４１】
前記詰め替えパックが、前記区分室部内で、前記分離板の下に配置されている、請求項１に記載のごみ容器。
【請求項４２】
前記分離板の前記穴が、使用者の指、及び親指を入れるこがとができる形状をもつ、請求項１に記載のごみ容器。
【請求項４３】
前記分離板が一対の指ホールドを含む、請求項１に記載のごみ容器。
【請求項４４】
ごみ容器であって、
空洞を画定する外郭と、
前記空洞への開口部を画定するリムと、
を含むハウジング、
詰め替えパック、および
該詰め替えパック内に配置された複数の袋
を有し、
前記袋が開口部を画定する上部及び閉じた底部を有し、前記開口部がクロージャーを含む、
ことを特徴とするごみ容器。
【請求項４５】
前記詰め替えパックが前記ハウジング内に摩擦力で保持されている、請求項４４に記載のごみ容器。
【請求項４６】
前記詰め替えパックが前記ハウジング内に締まりばめで保持されている、請求項４４に記載のごみ容器。
【発明の詳細な説明】
【技術分野】
【０００１】
本発明は一般的に、ごみ容器に関し、特に複数の分配可能な袋を含むごみ容器に関する。
【背景技術】
【０００２】
袋をもつ大きなごみ容器が一般的に、主要なごみ容器、たとえば台所の主要なごみ容器として設計されている。袋が一杯になった後、袋は、運びだして廃棄、焼却するために容器から取り出され、新しい袋がごみを受け入れるために容器内に配置される。
【発明の概要】
【発明が解決しようとする課題】
【０００３】
袋を使用する従来のごみ容器の問題は、臭気と不衛生となるごみに関するものである。このような不快感を与えるごみが従来のごみ容器のごみ袋に入れられると、ごみはすぐさま除去され、廃棄されなければならず、さもないとごみ容器は、開いた袋からの臭気や不衛生の効果による影響を周囲に及ぼすことになる。このことは、不快なごみが袋に入れられたときでも袋が一杯とならないとき、容器及び袋の非有効な使用を強いることになる。すなわち、まだ余裕のある袋がしばしば時期を早めて処分される。このことは結局のところ、実際のごみの容積以上の袋の使用を強いることになる。ごみ容器を空にする個人がごみ袋を頻繁に除去し、運びださざるを得ず、このような容器、袋の使用は非効率で不便なものである。
【課題を解決するための手段】
【０００４】
本発明は、特に臭気又は不衛生なごみの効果を緩和する。本発明は、不衛生なごみや廃物がそれ自身のごみ袋に廃棄できる分配可能な袋をもつごみ容器に関する。本発明のごみ袋は、所定の量のごみ物体を収納する大きさをもつ。特に不快なごみがごみ袋に廃棄された後、袋は除去され、又はたとえば台所の主要なごみ容器のような大きなごみ容器内に廃棄または置かれる。本容器の袋は、臭気や不衛生なことが袋の外に及ばないことから、大きな容器の袋は、問題のごみが袋の中に直接堆積するため、廃棄される必要がなくなる。ごみ容器は、台所、浴室、カウンタの上に置いたときに便利に機能するような大きさにしてもよい。容器の分配可能な多数の袋により、確実に容器は再度詰め込むことや廃棄する必要なしに何度でも使用できる。
【０００５】
本発明の一態様にしたがって、ごみ容器は、空洞を画定する外郭および空洞への開口部を画定するリムを含むハウジングを有する。ごみ容器はさらに、空洞を区画室部に分離する分離板と箱部とを有し、ここで分離板は貫通穴を画定する。容器はまた、直列に連結された複数の袋を含む。袋は、開口部を画定する上部と閉じた底部とを有し、ここで袋は各袋の底部が、次の袋の上部に直列して分離可能に付着されるように直列に連結されている。袋が区画室部内に収納され、袋の底部が次の袋の上部に続き、最初の袋が分離板から引っ張り上げられた時、最初の袋が分離板から次の袋を引っ張るようにして、袋は一度の一つ、分離板の穴から引き出すことができる。袋の上部が分離板を通ると、袋は物を受け入れることができるように開かされる。
【図面の簡単な説明】
【０００６】
【図１】図１は、ごみ袋の一つが容器のリムのまわりに取り付けられた状態の、配分可能な袋をもつごみ容器の斜視図である。
【０００７】
【図２】図２は図１のごみ容器の右側面断面図である。
【０００８】
【図３】図３は、リムのまわりに袋が取り付けられていない図１のごみ容器の右側面図である。
【０００９】
【図４】図４は左側面図である。
【００１０】
【図５】図５は正面図である。
【００１１】
【図６】図６は背面図である。
【００１２】
【図７】図７は底面図である。
【００１３】
【図８】図８は、分離板が取り除かれた状態の平面図である。
【００１４】
【図９】図９は、分離板が挿入された図８と同じ平面図である。
【００１５】
【図１０】図１０は、分離板が容器に上にある図１のごみ容器の分解図である。
【００１６】
【図１１】図１１は図１０の分離板の側面図である。
【００１７】
【図１２】図１２は分離板の斜視図である。
【００１８】
【図１３】図１３は、ごみが袋に入れられている状態の図１のごみ容器と袋の正面図である。
【００１９】
【図１４】図１４は、容器と詰められた袋が閉じられている状態を示す。
【００２０】
【図１５】図１５は、詰められ閉じられた袋が閉じられ、直列の袋から分離される状態の容器を示す。
【００２１】
【図１６】図１６は、直列となった次の袋が容器にリムのまわりに取り付けられ状態の容器を示す。
【００２２】
【図１７】図１７は図１の折り畳まれた一連の袋の正面図である。
【００２３】
【図１８】図１８は個々の袋の斜視図である。
【００２４】
【図１９】図１９はマチのある袋の斜視図である。
【００２５】
【図２０】図２０は、ごみ袋の一つが容器のリムのまわりに取り付けられた本発明の他の実施例の斜視図である。
【００２６】
【図２１】図２１は袋がリムのまわりに取り付けられた図２０のごみ容器の右側面図である。
【００２７】
【図２２】図２２は図２１の容器の背面図である。
【００２８】
【図２３】図２３は図２０のごみ容器の右側面断面図である。
【００２９】
【図２４】図２４は、ごみ袋の一つが容器のリムのまわりに取り付けられた本発明のさらに他の実施例の斜視図である。
【００３０】
【図２５】図２５は図２４の容器の正面図である。
【００３１】
【図２６】図２６は図２４の容器の右側面断面図である。
【００３２】
【図２７】図２７は、ごみ袋がリムのまわりに取り付けられていない図２４のごみ容器の平面図である。
【００３３】
【図２８】図２８は、底部が取り外された図２４のごみ容器の分解図である。
【００３４】
【図２９】図２９は、底部が蝶着され、その底部が開いた状態の本発明のさらに他の実施例の斜視図である。
【００３５】
【図３０】図３０は、本発明の小さなごみ袋が入れられる大きなごみ容器の断面図である。
【００３６】
【図３１】図３１は平坦な背面をもつ本発明のさらに他の実施例の側面図である。
【００３７】
【図３２】図３２は図３１の容器の平面図である。
【００３８】
【図３３】図３３は袋が交互に積み重ねられた本発明のさらに他の実施例の側面図である。
【００３９】
【図３４】図３４は、積み重ねられた袋が連結されていない本発明のさらに他の実施例の右側面断面図である。
【００４０】
【図３５】図３５は、袋が巻きつけられたものから配分される本発明のさらに他の実施例の右側面断面図である。
【００４１】
【図３６】図３６は、袋が褶曲層のように重ねられた本発明のさらに他の実施例の右側面断面図である。
【００４２】
【図３７】図３７は、図１のごみ容器用の詰め替えパックの斜視図である。
【００４３】
【図３８】図３８は、図１のごみ容器内に挿入された図３７の詰め替えパックの斜視図である。
【００４４】
【図３９】図３９は、分離板が使用者の指を入れることができる一つのスロットを有する、発明のさらに他の実施例の右側面断面図である。
【００４５】
【図４０】図４０は図１のごみ容器とともに使用される引きひも袋の斜視図である。
【００４６】
【図４１】図４１は、図１のごみ容器とともに使用される連動クロージャーをもつ袋の斜視図である。
【００４７】
【図４２】図４２は、図１のごみ容器とともに使用されるフラップ袋の斜視図である。
【００４８】
【図４３】図４３は、図１のごみ容器とともに使用される折り畳み上部をもつ袋の斜視図である。
【００４９】
【図４４】図４４は、図１のごみ容器とともに使用される接着部をもつ袋の斜視図である。
【００５０】
【図４５】図４５は、平坦な背面部分を有する本発明のさらに他の実施例の側面図である。
【００５１】
【図４６】図４６は図４５のごみ容器の平面図である。
【００５２】
【図４７】図４７は、分離板が指でつかむ把持部を有する本発明のさらに他の実施例の側面図である。
【００５３】
【図４８】図４８は図４７の分離板の底面図である。
【００５４】
【図４９】図４９は、分離板が本発明にしたがった容器内に挿入された図４７の分離板の右側面断面図である。
【発明を実施するための形態】
【００５５】
図１はハウジング５２を有するごみ容器５０を示す。ハウジング５２は空洞を画定する外郭５４及び空洞５６に対する開口部６０を画定するリム５８を有する。ごみ容器５０はさらに、空洞５６を区画室部７６に分離する分離板６２及び箱部７８を有し、分離板６２は貫通する穴６４を有する。容器５０はまた、直列に連結された複数の袋８０を含む。袋８０は開口部８８を画定する上部８６と閉じた底部９０を有してもよい。袋８０は、各袋８０の底部９０が、直列になった次の袋の上部８６の分離可能に付着されるように、直列に連結されてもよい。袋８０が区画室部７６内に収納されると、袋は一度にひとつ、分離板６２の穴６４から引っ張り出される。袋の８０の上部８６は前の底部９０に続き、これにより、第一の袋は、その第一の袋が分離板６２から引き出されるとき、分離板６２から第二の袋を引き出す。袋８０の上部が分離板６２を通り抜けると、袋は物を受け入れるために開けられる。ハンズフリーで容器を利用できるように、袋８０は、袋８０が図１に示されているように、廃物を受け入れるために開いた状態となるように、容器の５０のリム５８にまわりに取り付けられる。
【００５６】
図１に示されているように、容器５０は正面部９６、後面部９８、第一の側面部１００および第二の側面部１０２を有してなるものでもよい。図１乃至図２に示されているように、容器５０の外郭５４はほぼ管状の形状を画定する一体のものからなるものでもよい。外郭５４は、図２に示されているように、内側面１０４及び外側面１０６を含む一体物からなるものでもよい。外郭５４は、底部１０８（容器５０が確実に立つことができるように平坦なものである。）、及び上部１１０（これは開口部６０のリム５８を定めている。）を含む。底部１０８は底部１０８の中央に位置する凹所１１２を含んでなることができる。
【００５７】
図２、図３に示されているように、リム５８が容器５０の後面部９８で高く、正面部９６で低くなるように、リム５８は傾斜している。リム５８は正面部９６から後面部９８へと角度１５６をもって延び、ここで角度は底部１０８に平行な面とリム５８との間の角度として定義される。角度１５６は０から４５度の第一の範囲にあってもよい。角度１５６は２０から３５度の第二の範囲にあってもよい。一つの実施例では、角度１５６は３０度である。角度が付けられたリム５８は容器を容易に使用できる角度と整合する。リム５８、したがって開口部６０が角度１５６の角度をもつことから、手を使わないで廃物を袋８０に入れることができる開口部を有する容器は、人間工学的に優れたものと言える。
【００５８】
図１乃至図２に示されているように、容器５０はほぼ砂時計形状をいていてもよい。容器５０の輪郭は、リム５８のところでもっても広く、分離板スロット１１４のところで最も狭く、底部１０８のところでまた広くなっている（図２に示されているように、上部１０よりも狭い）。砂時計状の輪郭は、図２ないし図４に示されているように、容器５０の側方、図５及び図６に示されているように前方及び後方の輪郭に表れている。容器は、図３及び図４に示されているように、第二の側面部１０２及び第一の側面部１００の間で対象的になってもよい。
【００５９】
図５及び図８に示されているように、容器５０の外郭５４はほぼ楕円形状であってもよく、ここで、容器５０は第一の側面部１００と第二の側面部１０２との間が最も長く、正面部９６と背面部９８との間が最も短いものである。容器５０は図７に示されているように、底部１０８のところで楕円のフットプリントをもち、図８に示されているように、上部１１０まで外郭５４全体を通して断面が楕円となる形状をもっている。図８に示されているように、分離板スロット１１４（分離板６２は挿入されていない）は楕円形状をもっていてもよい。したがって、分離板６２（分離板スロット１１４に整合した形状となっている）はまた、図９（容器５０に挿入されている）に示されているように、楕円形状をもつ。
【００６０】
図２に示されているように、分離板スロット１１４は、容器５０の外郭５４に設けられた三つの帯状部分１１６、１１８，１２０を有してもよい。上帯状部分１１６及び下帯状部分１１８は中間帯状部分１２０の上及び下にそれぞれ位置する。上帯状部分１１６及び下帯状部分１１８は中間帯状部分１２０より狭い周囲となっているが互いに同じ周囲となっている。分離板６２の周囲は、上帯状部分１１６と下帯状部分１１８の両方よりも大きいが中間帯状部分１２０よりも小さい。これに代えて、分離板６２は中間帯状部分１２０のところで配置される。分離板６２は、すき間はめ、摩擦はめ又は締まりばめにより適所に保持されている。
【００６１】
図２に示されているように、容器５０の空洞５６は容器５０の底部１０８と開口部６０との間に外郭５４の内側領域である。分離板６２は空洞５６を区画室部７６と箱部７８とに分ける。区画室部７６は容器５０と分離板６２との間の空間で、箱部７８は分離板６２と底部６０との間の空間である。図２に示されているように、分離板６２は、底部１１８から上部１１０までの長さのほぼ四分の一のところに位置し、このことにより、区画室部７６は箱部７８よりも大きい。
【００６２】
多数の袋８０は、図２に示されているように、畳まれたスタック１２４のように、区画室部７６内に収納される。袋８０は、スタック１２４の一番上に位置する袋８０が連結されていない上部８６をもつように（直列になった最初の袋８０の底部９０が連結されている）に区画室部７６に収納されている。袋８０は分離板６２の穴を通過して箱部７８に入るが、最初は、最初の袋８０を、穴６４に通しておく。袋８０は直列に連結され、図１７に示されているように、連続した袋の上部８６は、次の袋８０の底部８６に連結されている。バッグ８０が穴６４から引っ張られると、袋８０は箱部７８に入る。袋８０の上部８６は開いており、バッグ８０の底部９０は閉じている。図２に示されているように、一つの袋８０が穴６４を通して引き出されると、上部８６は、袋が開いたままとなるように、容器５０のリム５８のまわりに取り付けられる。図２に示されているように、リム５８のまわりに取り付けられたときに、袋８０が箱部７８の容積と実質的に等しい容積をもつように、袋８０の大きさが決められてもよい。袋８０の底部９０、及び直列になった次に袋との連結として機能するミシン線８４は、袋８０が容器８０に取り付けられたときにちょうど分離板６２に下に位置していてもよい。袋８０は図２に示されているように配置されると、容器は、ハンズフリーで廃物を受け入れられ、廃物は、リム５８に取り付けられている袋８０内に収納される。
【００６３】
図１０に示されているように、分離板６２は選択的に取り外し可能なものとしてもよい。分離板６２は摩擦で分離板スロット１１４内に保持され、外郭５４の内側面１０４に接続することのない独立した部材であってもよい。分離板６２を含む全容器５０がプラスチックから製造されるものでもよい。したがって、分離板６２及び外郭５４は所定の弾性変形し、外郭５４又は分離板６２に顕著な塑性変形をもたらすことなく、分離板６２は繰り返して、狭い上帯状部１１６を通過して分離板スロット１１４に挿入され、そこから取り除かれ得る。図１０に示されているように、分離板６２を、上帯状部１１６を通過させて取り除くことにより、箱部７８と区画室部７６との間で分離するようなものはなくなる。分離板６２が取り除かれると、袋８０は、開口部６０を通って区画室部７６へと挿入される。このようにして、区画室部７６内に積み重ねられたスタック１２４が消費された後、容器５０には袋８０が補充され、このことにより、容器５０は繰り返して使用することができる。
【００６４】
図１１に示されているように、分離板６２は上面６８、底面７０及び外側リム６６を有する。外側リム６６は、分離板６２を分離板スロット１１４の上帯状部分１１６を通過させて挿入及び除去を行えるように丸くなっている。分離板６２は、外側リム６６を形成するために、縁のまわりを丸くすることができる一枚のシート材から作られてもよい。図２に示されているように、分離板６２の内側７２は、その内側７２が、外側リム６６から穴６４の低いところへと傾斜するように、凹状となってもよい。図１２に示されているように、分離板６２に形成された穴６４は、細いスロット１３０と幅広いスロット１３２とが交差した十字形となったものとすることができる。幅広いスロット１３２は使用者の親指と他の指を入れることができる大きさが適当である。このことにより、使用者は、分離板６２から区画室部７６へ、そして直列になった最初の袋８０を掴むことができる。この特徴は、容器５０への新しく充填がされ、又は一番上の袋８０が分離板６２の下にある場合のような、袋が分離板６２の下の区画室部７８にあったときに特に重要なことである。分離板６２の穴６４は、一度にひとつの袋８０を引き出すのに十分に大きいが、ひとつ以上の袋を一度の引き出すことのない程度に十分に小さい。
【００６５】
図１３に示されているように、直列になった最初の袋８０が容器５０のリム５８のまわりに取り付けられると、廃物を収納できる用意ができる。袋８０がリム５８により開いた状態にあると、袋８０は、図１３にハンズフリーの動作が示されているように、使用者は容器５０に触れることなく袋８０に廃物を入れることができる。
【００６６】
図１４に示されているように、袋８０に十分に詰められると、袋８０は閉じられる。袋８０の上部８６は、図１４に示されていとおり、開いた袋８０の上部の半分同士が重なるようにして閉じることができるように、開口部８８の半分に接着ストリップ９２を有してもよい。したがって、袋８０は、その上部８６を接着ストリップ９２にそって閉じるように袋８０を押しつけることにより、シールすることができる。袋８０の開口部８８が両手でシールされるとき、使用者は袋８０を容器５０から持ち上げるようにして取り出し始める。袋８０が容器５０から持ち上げられると、袋８０の底部９０は分離板６２を通過し、これにより、続く袋８０の上部が図１４に示されているように、分離板６２を通過する。
【００６７】
図１５に示されているように、詰められた袋８０の底部９０がリム５８の上に出ると、使用者は次の袋８０をミシン線８４の下でつかむ。つぎに、使用者は、図１５に示されているように、ミシン線８４にそって裂くことで、詰められた袋８０を次の袋８０から分離することができる。詰められ、シールされた袋８０は運ぶこと又は廃棄することができる。袋８０は、図３０に示されているように、たとえば台所などにある大きなごみ箱のような他の容器に収納できる大きさである。図３０に示されているように、いくつもの詰められた分配可能な袋８０が、主要なごみ容器５０４及び大きなごみ袋内に、その容器を空にする必要がでるまで、廃棄することができる。これに代えて、容器５０を主要なごみ容器として使用してもよい。
【００６８】
図１６に示されているように、容器５０を使用する最後の工程は、つぎの空の袋８０を容器５０のリム５８に取り付けることである。袋８０が取り付けられると、容器５０はまた廃物を受け入れる用意ができ、分配可能な袋８０の詰め込み及び廃棄が続けられる。詰め込み及び廃棄のサイクルは、区画室部７６内のすべての袋８０が分配され、詰め込まれ、取り出されまで続けられ得る。
【００６９】
図１７に示されているように、複数の袋８０は、ミシン線８４が、第一の袋８０の底部９０と第二の袋８０の上部８６に、第二の袋８０の底部９０を第三の袋８０の上部に、順に最後まで連結するように、直列に連結されている。ミシン線８４（直列の袋の弱い部分をなっている）は、使用者が袋８０を分離したいときに、ミシン線８４にそって確実に裂けることができるようにしている。図１８に示されているように、袋８０は第一の縁１５０及び第二の縁１５２の第一のシーム１３６及び第二のシーム１３８を有し、これにより、袋８０は正面壁１４０と背面壁１４２とに分けられる。各袋８０の底部９０は、袋８０がミシン線８４のすぐ上で閉じられているところに第三のシーム１４４を含む。袋８０はミシン線８４の下ではシールされておらず、閉じられていない。このため、図１８に示されているように、袋８０は、その上の袋８０の底部９０から分離されるとき、上部８６にそって開口部８８を確実に有する。袋８０の上部で、ミシン線８４のすぐ下にそって、袋８０は、袋８０の正面壁１４０または背面壁１４２の内面１４６上に接着ストリップ９２を有してもよい。図１８では部分的に剥がされて示されている、非接着カバーストリップ９４が、そのカバーストリップ９４がはがされるまで、接着ストリップ９２が袋８０の反対側と貼りつくことがないように、接着ストリップ９２を覆っている。カバーストリップ９４は、使用者が袋を閉じてシールをしたいときに、はがされる。使用者が正面壁１４０と背面壁１４２を上部８６にそって押しつけると、接着ストリップ９２は袋８０をシールする。
【００７０】
袋８０は、図２に示されているように、容器５０の区画室部７６に入れることができるように折り畳まれたスタック１２４にする。袋８０は長さにそって、容器５０の底部１０８にわたって行きつ戻りつしながら順に畳まれ、積み重ねられたスタック１２４は一定の幅と長さをもつ。積み重ねられたスタック１２４は、袋８０が分離板６２を通して分配されると、上から順に引き出されていく。袋８０を収納する他の方法は、たとえば直列になった袋をロール状にして使用することである。
【００７１】
図１８及び図１９に示されているように、袋８０はプラスチックで作ることができる。特に、袋８０は、袋８０が実質的に臭気に対して不浸透性のプラスチックで作ることができる。したがって、袋８０が閉じてシールされると、一般的に臭気は袋８０から漏れない。かくして、臭気のある廃物は、図３０に示されているように、袋内にシールされ、大きなごみ容器へと廃棄できる。臭気が袋から漏れないことから、大きな袋５０６が、満たされる前に大きな容器を空に又は除去することが必要となるほどの臭気が周囲に影響を及ぼすことなく、大きな袋５０６が満たされるまで大きな容器５０４内に収納され得る。袋８０はまた、特に臭気または不衛生な廃物の影響を緩和するために、液体吸収剤、臭気中和剤、抗菌剤、又は香り放出剤を含めてもよい。一実施例では、袋は４００Ｆ（２４０Ｃ）までの耐熱性を有してもよい。
【００７２】
袋及び容器の大きさ、構成を種々に取ることができることは分かるであろう。たとえば、袋は図１９に示されているように、マチのある袋１５４とすることもできる。
【００７３】
図１７に示されているように、袋８０は、５から３０インチ（１３から７６ｃｍ）の第一の範囲にある高さ１６０と、５から３０インチ（１３から７６ｃｍ）の第一の範囲にある幅１６２をもつ。袋８０は、８から１２インチ（２０から３０ｃｍ）の第二の範囲にある高さ１６０と、９から１５インチ（２３から３８ｃｍ）の第二の範囲にある幅１６２をもつ。一実施例では、袋は、９インチ（２３ｃｍ）の高さ１６０と、１２インチ（３０ｃｍ）の幅１６２をもつ。
【００７４】
図５に示されているように、容器５０は、５から３０インチ（１３から７６ｃｍ）の第一の範囲にある高さ１７２と、５から３０インチ（１３から７６ｃｍ）の第一の範囲にある幅１７４をもつ。容器５０は、７から１２インチ（１８から３０ｃｍ）の第二の範囲にある高さ１７２と、７から１２インチ（１８から３０ｃｍ）の第二の範囲にある幅１６２をもつ。一実施例では、容器５０は、８．５インチ（２２ｃｍ）の高さ１７２と、８インチ（２０ｃｍ）の幅１７４をもつ。
【００７５】
図２０に、本発明の他の実施例が示されている。容器２００は図１に図示の容器と類似した構成をもつが、容器２００の外郭２０２は砂時計形状ではない。容器２００は、図２１及び図２２に示されているように、リム２０４から分離板スロット２０６を経て底部２０８まで、ほぼ直線状でかつ傾斜している。容器２００はまた楕円形状をもつ。正面壁２１０及び背面壁２１２は平坦で、側面壁２１４、２１６は丸くなっている。容器２００の分離板２２６は図２３に示されているように、外側リム２２８の内側で平面を画定している。しかし、図２０の容器２００及び図２１の容器５０は同様の機能を果たす。
【００７６】
図２４に、本発明の他の実施例が示されている。容器３００は、空洞３０４を画定する外郭３０２、開口部３０８を画定するリム３０６、箱部３１０、区画室部３１２、複数の袋３１４、上部３２０及び底部３２２を有する。外郭３０２は、図２４に示されているように、リム３０６及び箱部３１０とともに容器３００の外側を画定する。容器３００の箱部３１０は、リム３０６から下で、外郭３０２の反対側の部分、すなわち箱部壁３２６の上の空間である。したがって、箱部３１０は空洞３０４の外側にあるが、区画室部３１２は空洞３０４の内側にある。
【００７７】
図２４及び図２５に示されているように、容器３００は円筒状の形状をもってもよい。底部３２２は円形であり、かつ平坦であるが、外郭３０２は底部３２２からリム３０６へと円筒状に伸長したものである。図２６に示されているように、リム３０６は傾斜しており、容器３００の前側３１６から後側３１８への傾斜は約３０度である。
【００７８】
図２６に示されているように、箱部３１０は凹状で、ほぼ平坦な底部３２８を有する。箱部壁３２６は外郭３０２から連続した部分であってもよい。この実施例では、箱部壁３２６はまた分離板３４２のように機能する。箱部壁３２６は取り外せないが、前述してきた実施例のように、袋が箱部３１０の区画室部３１２から通過できる穴３３２を有する。穴３３２は図２７に示されているように十字形であってもよく、箱部３１０の底部３２８に位置している。十字形３３４を形成する二つのスロット３３６、３３８は同じ形状をし、袋３１４はスロット３３６、３３８の一方又は両方を通過できる。図２６に示されているように、袋３１４が穴３３２と通過した後に、袋８０は、廃物を受け入れるためにリム３０６のまわりに取り付けられる。袋が充填されると、袋３１４は上述のとおりに取り出され、取り換えられる。
【００７９】
図２８に示されているように、容器３００の底部３２２は取り外し可能である。容器３００が取り外し可能な分離板をもたないので底部３２２が取り外し可能であることから、使用者は、袋３１４を充填するために、区画室部３１２を利用することができる。底部３２２は底部プレート３４４を有し、このプレートは平坦で、これにより容器３００が立つことができる。底部３２２はまた、図２８に示されているように、容器３００の外郭３０２の内周囲よりも僅かに小さい内部壁３４６を有している。したがって、図２８に示されているように、底部３２２の内部壁３４６は、容器３００の下端部３５６が外側縁３４８（底部３２２の内部壁３４６を取り囲む）と境を接するまで、容器３００の解放された下方端部３４８内に挿入される。内部壁３４６が挿入されると、内部壁３４６と外郭３０２の内側３５４との間の相互作用による摩擦力で、底部３２２が適所に保持される。図２６に示されているように、外郭３０２は、底部３２２の内部壁３４６と確実な接合が行われるように、下方端部３５６の近傍の内側３５４に厚い厚さをもつ帯状部分３５８を有してもよい。底部３２２を外すためには、使用者は、取り付けている摩擦力以上で、底部３２２を容器３００から引き出す必要がある。
【００８０】
図２８に示されているように、区画室部３１２は底部プレート３４４の内面３５０に位置し、内部壁３４６の内側にある矩形の筺体である。区画室部３１２は、正面壁３６２、背面壁３６４、第一及び第二の側面壁３６６、３６８を含む。区画室部３１２について、底は底部プレート３４４により閉じており、上は解放されている。したがって、図２６に示されているように、区画室部３１２は複数の袋３１４を収納でき、袋は箱部壁３２６の穴３２２を通過して分配される。複数の袋３１４は区画室部３１２とほぼ同じ大きさに積み重ねスタック３７０を形成するように折り曲げられる。
【００８１】
図２９に、本発明のさらに他の実施例が示されている。容器４００は、図２４の容器と似た構成をもつが、底部４０４は容器４００の残部から完全に分離できるものではない。完全に分離する代わりに、底部４０４は図２９に示されているように、ヒンジ４０６により外郭４０２に蝶着されている。底部４０４は、閉じられると、容器４００の下端部４１２と整合し、外郭４０２の内部壁４０８と内側面４１０との間の摩擦力で保持される。底部４０４を開けるために、使用者は、図２９に示されているように、ヒンジ４０６により容器４００の下端部４１２から離れるように底部４０４を離れるように開いた位置へと回動させる。底部４０４は、内部壁４０８が外郭４０２に挿入されるように底部４０４を回動させることにより閉じる。
【００８２】
図２９に示されているように、区画室部４１４は、ヒンジ４１８により区画室部４１４の正面壁４２４に蝶着された蓋４１６を有してもよい。蓋４１６は、図２９に図示の閉じた位置から区画室部４１４に充填を行える開いた位置に回動させられる。蓋４１６は、蓋４１６の端部４２２と区画室部４１４の背面壁４２６との間にスロット４２０を形成するために、区画室部４１４より短い。袋４３６は、スロット４２０を通り、区画室部の壁４３４に形成された穴４３０を通過して供給される。蓋４１６は箱部４１４内の適所に、複数の袋４３６を保持することを補助する。箱部４３２の底部４３８は、袋が区画室部４１４から外に配分されるときに、蓋４１６が開くことを防止する。
【００８３】
図３０に、大きなごみ容器５０４及び大きなごみ袋５０６の一実施例が示されている。この例では、大きなごみ袋５０６は他の廃物とともに二つの小さなごみ袋８０を収納している。大きなごみ袋５０６は、２０から４０インチ（５１から１０２ｃｍ）の第一の範囲にある高さ５０８と、１５から３６インチ（４６から９２ｃｍ）の第一の範囲にある幅５１０をもつ。ごみ袋５０６は、２４から３０インチ（６１から７６ｃｍ）の第二の範囲にある高さ５０８と、２０から２８インチ（５１から７１ｃｍ）の第二の範囲にある幅５１０をもつ。容器５０４は、１６から３０インチ（４１から７６ｃｍ）の第一の範囲にある高さ５１８と、１０から２６インチ（２５から６６ｃｍ）の第一の範囲にある幅５２０をもつ。容器５０４は、２０から２４インチ（５１から６１ｃｍ）の第二の範囲にある高さ５１８と、１４から１８インチ（３６から４６ｃｍ）の第二の範囲にある幅５２０をもつ。
【００８４】
図３１及び図３２に、本発明のさらに他の実施例が示されている。容器６００は、実質的に平坦な後面部６０４をもつハウジング６０２を有する。平坦な後面部６０４は、容器６００を汚れ板又は壁にぴったりと押しつけることを可能にする。
【００８５】
本発明は種々にまとめられた袋を収納できるように構成されている。図３３に示されているように、容器５０は交互に配置されたスタック６２２に配列された複数の袋６２０を有している。袋６２０は連結されていないが、それらは交互に重ねられ、各袋は分離板６２を通して続く袋を引き出す。図３４に示されているように、袋６３０は連結もされておらず、交互配置もされていないスタック６３２にして積み重ねられている。そのため、使用者は、分離板６２の穴６４を通して、続く袋を順に取り出す。図３５に示されているように、袋６４０はミシン線６４２にそって連結され連続したロール６４４に巻かれている。図３６に示されているように、袋６５０は連結されておらず、水平に折り畳まれたスタック６５２に配列されている。そのため、使用者は分離板６２の穴６４を通して続く袋を順に取り出す。
【００８６】
図３７に示されているように、全ての袋が使用されると、詰め替えパック７００が容器の詰め替えのために使用され得る。詰め替えパック７００は、袋７０６が分配される開口部７０４を有するボックス７０２からなる。図３８に示されているように、詰め替えパック７００は、容器５０の区画室部７６内に配置される。詰め替えパック７００は、区画室部７６に配置されたとき、詰め替えパック７００が図３８に示されているように、摩擦力で保持されるような大きさをもつ。他の実施例として、詰め替えパックは締まりばめにより区画室部内に保持される。詰め替えパック７００は、詰め替えパックが容器５０に挿入されたとき、詰め替えパック７００の開口部７０４が分離板６２の穴６４と整列するように構成されてもよい。他の実施例としは、詰め替えパックは容器に内に挿入でき、容器は分離板なしで使用される。
【００８７】
図３９には、容器のための分離板の他の実施例が示されている。分離板７２０は、分離板７２０を貫通する穴７２４を画定する一つのスロット７２２を含む。スロット７２２は使用者の指、親指を入れることができる大きさをもち、その結果使用者は区画室部内の袋をつかむことができる。
【００８８】
種々の閉鎖手段をもつ種々のタイプの袋が本発明とともに使用され得る。図４０に示されているように、絞りひも袋７５０が本容器に使用されてもよい。絞りひも袋７５０が二つの側面７５２、７６０及び縁７５６（縁７５６は二つの開口部７５８、７６０を有してもよい）を有してもよい。絞りひも７６２が縁７５６を通され、開口部７５８、７６０のところで使用者により引っ張られるものである。使用者が絞りひも７５６を引っ張ると、袋７５０は閉じる。使用者はまた、袋７５０を確実に閉じるため絞りひも７５６を結ぶ。
【００８９】
図４１に示されているように、二つの側面７６６，７６８と二つの相互連結クロージャー７７０、７２２をもつジッパー袋７６４が容器に使用され得る。使用者は相互連結クロージャー７７０、７７２（互いに連結して袋７６４をシールする）を使用できる。
【００９０】
図４２に示されているように、二つの側面７７６、７７８をもつ結び付けるタイプの袋７７４が容器に使用され得る。結び付けるタイプの袋７７４は、袋７７４をシールするために使用者が結びつけることができる四つのフラップ７８０、７８２、７８４、７８６を有する。
【００９１】
図４３に示されているように、二つの側面７９２、７９４をもつ上部が折り畳める袋７９０が容器に使用され得る。上部が折り畳める袋７９０は上部フラップ７９６と下部フラップ７９８を有し得る。上部フラップは三つの縁８００、８０２、８０４にそって第一の側面７９２に連結され得る。使用者は、袋７９６をシールするために、上部フラップ７９６を下部フラップ７９８の下に押し込む。
【００９２】
図４４に示されているように、二つの側面８１２、８１４をもつ袋８１０が容器に使用され得る。袋８１０は上端８２２の内側８２０にそって二つの接着ストリップ８１６、８１８を有し得る。使用者は、袋８１０をシールするために接着ストリップ８１６、８１８（互いに重ね合わされる）を使用する。
【００９３】
図４５及び図４６に、本発明の他の実施例が示されている。容器８５０は実質的に平坦な部分８５６を含む背面壁８５４をもつハウジング８５２を有する。背面の平坦部分８５６は底部８６０と分離板スロット８６２との間に実質的に位置する。背面壁８５４がリム８６４へと傾斜していることから、図４６に示されているように背面壁８５６は平坦なものから丸いものに移行する。平坦な部分８５０６はカウンタの上の壁に容器８５０を押しつけることを可能にし、汚れ止め板に押し付けることも可能にする。
【００９４】
図４７に、本発明の他の実施例が示されている。分離板９００は、分離板９００を貫通する穴９０４を画定する一つのスロット９０２を含んでもよい。スロット９０２は使用者の指、親指を入れることができる大きさをもち、その結果使用者は、分離板９００が容器に挿入されたとき、区画室部内の袋を掴むことができる。図４９に示されているように、分離板９００は、第一及び第二のフィンガーホールド９０６、９０８（分離板９００の底部９１０から下に向かってくぼんだものである）を有してもよい。図４７に示されているように、フィンガーホールド９０６、９０８はスロット９０２の近傍に位置し、スロットは第一及び第二の９０６、９０８の間に位置する。フィンガーホールド９０６、９０８は使用者の親指、指を入れるころができるように構成され、これにより使用者は、便利に分離板９００を保持できるとともに、分離板９００を挿入、除去することができる。
【００９５】
本明細書で引用した出版物、特許出願及び特許を含むすべての参考文献は、それぞれの参照文献が、参照により組み込まれるように個別に具体的に示され、全体が本明細書で説明されたのと同じように参照により本明細書に組み込まれる。
【００９６】
本明細書で特に示すか文脈によって明らかに否定されない限り、単数と複数の両方をカバーするように解釈されるべきである。用語「含む」、「有する」、「もつ」等は、特に断らない限り、オープンエンドの用語（即ち、「含むが限定されない」の意味）として解釈されるべきである。本明細書における値の範囲の列挙は、本明細書で特に示さない限り、範囲内にあるそれぞれの別の値を個々に参照する簡略的な方法として役立つように意図されており、それぞれの別の値は、本明細書で個々に引用されたかのように本明細書に組み込まれる。本明細書で述べたすべての方法は、本明細書に特に示さないか又は文脈によって明らかに否定しない限り、任意の適切な順序で実行することができる。本明細書に提供される任意及びすべての例、又は例示的用語（例えば、「のような」）の使用は、単に本発明をよりよく解明するように意図されており、特に請求しない限り本発明の範囲を限定しない。本明細書内の言語は、本発明の実施に不可欠なものとしていかなる非請求要素も示すように解釈されるべきでない。
【００９７】
本明細書において、本発明を実施するために発明者に知られている最良の形態を含む本発明の好ましい実施形態が説明される。そのような好ましい実施形態の変形例は、以上の説明を読むことにより当業者に明らかになる。発明者は、当業者がそのような変形例を適切に使用することを期待し、また発明者は、本明細書に具体的に示された以外の方法で本発明を実施することを意図する。従って、本発明は、準拠法によって許可されるように添付された特許請求の範囲内で列挙された内容のすべての修正物と均等物を含む。更に、すべての可能な変形例における前述の要素の任意の組み合わせは、本明細書に特に示されず文脈によって明確に否定されない限り、本発明に含まれる。
【図１】
2009539737.tif 000002
【図２】
2009539737.tif 000003
【図３】
2009539737.tif 000004
【図４】
2009539737.tif 000005
【図５】
2009539737.tif 000006
【図６】
2009539737.tif 000007
【図７】
2009539737.tif 000008
【図８】
2009539737.tif 000009
【図９】
2009539737.tif 000010
【図１０】
2009539737.tif 000011
【図１１】
2009539737.tif 000012
【図１２】
2009539737.tif 000013
【図１３】
2009539737.tif 000014
【図１４】
2009539737.tif 000015
【図１５】
2009539737.tif 000016
【図１６】
2009539737.tif 000017
【図１７】
2009539737.tif 000018
【図１８】
2009539737.tif 000019
【図１９】
2009539737.tif 000020
【図２０】
2009539737.tif 000021
【図２１】
2009539737.tif 000022
【図２２】
2009539737.tif 000023
【図２３】
2009539737.tif 000024
【図２４】
2009539737.tif 000025
【図２５】
2009539737.tif 000026
【図２６】
2009539737.tif 000027
【図２７】
2009539737.tif 000028
【図２８】
2009539737.tif 000029
【図２９】
2009539737.tif 000030
【図３０】
2009539737.tif 000031
【図３１】
2009539737.tif 000032
【図３２】
2009539737.tif 000033
【図３３】
2009539737.tif 000034
【図３４】
2009539737.tif 000035
【図３５】
2009539737.tif 000036
【図３６】
2009539737.tif 000037
【図３７】
2009539737.tif 000038
【図３８】
2009539737.tif 000039
【図３９】
2009539737.tif 000040
【図４０】
2009539737.tif 000041
【図４１】
2009539737.tif 000042
【図４２】
2009539737.tif 000043
【図４３】
2009539737.tif 000044
【図４４】
2009539737.tif 000045
【図４５】
2009539737.tif 000046
【図４６】
2009539737.tif 000047
【図４７】
2009539737.tif 000048
【図４８】
2009539737.tif 000049
【図４９】
2009539737.tif 000050
【国際調査報告】
2009539737.tif 000051
2009539737.tif 000052
2009539737.tif 000053